(57)【要約】【課題】発光部の温度が変化した場合でも発光部の輝度が変化することを抑制するとともに、寿命を延ばすことができるスキャナ用光源を提供する。【解決手段】スキャナ用光源１１は、陽極１４と陰極１６との間に有機ＥＬ層１５が設けられた細長形状の発光部１７と、外部駆動回路と電気的に接続された陽極用端子部１９と、陰極１６と電気的に接続された陰極用端子部２０と、発光部１７以外の部分に設けられ、温度係数が正である抵抗部２２とを備えている。抵抗部２２は、陽極１４の長手方向の全長に亘って設けられている。また、抵抗部２２全体と電気的に接続し、抵抗部２２を介して陽極１４に電流を供給する給電部１８が設けられている。そして、有機ＥＬ層１５及び抵抗部２２は発光部１７に印加される電圧と抵抗部２２に印加される電圧との和が発光部１７及び抵抗部２２の温度変化に拘わらず一定となるように構成されている。【選択図】図１
2008257951.tif 000002
【特許請求の範囲】
【請求項１】
陽極と陰極との間に有機ＥＬ層が設けられた細長形状の発光部と、
外部からの電流が入力可能に構成された陽極用端子部と、
前記陰極と電気的に接続された陰極用端子部と、
前記陽極の長手方向の全長に亘って設けられると共に、前記発光部以外の部分に設けられ、温度係数が正である抵抗部と、
前記陽極用端子部及び前記抵抗部全体と電気的に接続され、前記抵抗部を介し前記陽極に電流を供給する給電部とを備え、
前記発光部に印加される電圧と前記抵抗部に印加される電圧との和が前記発光部及び前記抵抗部の温度変化に拘わらず一定となるように構成されているスキャナ用光源。
【請求項２】
前記抵抗部は金属で形成されている請求項１に記載されたスキャナ用光源。
【発明の詳細な説明】
【技術分野】
【０００１】
本発明は、スキャナ用光源に関する。
【背景技術】
【０００２】
有機ＥＬ素子は陽極と陰極との間に有機ＥＬ層が設けられることで構成されており、例えば、この有機ＥＬ素子を発光部として、原稿に対する照射光を出射するスキャナ用光源が考えられている。
【０００３】
また、複数の画素からなる自発光表示パネルにおいて、発光機能層が有する発光輝度特性と同傾向の温度抵抗特性を有する温度補償機能層が画素毎に設けられることで発光輝度の温度依存性を軽減するものが提案されている（例えば、特許文献１参照。）。特許文献１に記載された自発光表示パネルは、第一の電極と、第一の電極上に形成された少なくとも一層以上の発光機能層と、発光機能層上に形成された第二の電極とからなる自発光素子が画素毎に設けられることで構成されている。温度補償機能層は温度上昇に対して相対的に抵抗値が高くなる温度抵抗特性を有しているため、発光機能層が温度上昇するのに伴って温度補償機能層の温度も上昇し相対的に抵抗値が高くなる。そして、温度補償機能層は第一の電極と第二の電極間に印加する電圧供給路に対して直列に積層されているため、発光機能層の温度変化による電圧特性の変化は、温度補償機能層の抵抗変化で相殺され、輝度変化が抑えられる。
【特許文献１】特開２００６−２６９２８４号公報
【発明の開示】
【発明が解決しようとする課題】
【０００４】
有機ＥＬ素子は、周囲温度の熱影響等を受けて温度が変わると、順電圧が変化して輝度が変わる。そのため、有機ＥＬ素子をスキャナ用光源の発光部として用いた場合、周囲温度の変化に伴って発光部の輝度が変化することがある。発光部が細長形状であると周囲温度の熱影響によって発光部内で温度にばらつきが生じることがあり、この場合、発光部の部位毎に印加電圧に差が生じて温度の高い部位では輝度が高くなり温度の低い部位では輝度が小さくなるという特性がある。したがって、有機ＥＬ素子をスキャナ用光源の発光部とした場合、周囲温度の熱影響を受けることによって発光部の輝度分布が変化することもあった。
【０００５】
特許文献１に記載された自発光表示パネルは、複数の画素からなる表示パネルであり、ＥＬ素子からなる発光部は画素毎に設けられているため、スキャナ用光源に用いられる発光部とは面積が異なる。また、自発光表示パネルでは、スキャナ用光源として用いることで発光部の面積が大きくなった場合に起きる問題について何ら配慮されていない。
【０００６】
本発明は、前記従来の問題に鑑みてなされたものであって、その目的は、周囲温度の熱影響を受けた場合でも発光部の輝度が変化することを抑制するとともに、寿命を延ばすことができるスキャナ用光源を提供することにある。
【課題を解決するための手段】
【０００７】
請求項１に記載の発明は、陽極と陰極との間に有機ＥＬ層が設けられた細長形状の発光部と、外部からの電流が入力可能に構成された陽極用端子部と、前記陰極と電気的に接続された陰極用端子部と、前記陽極の長手方向の全長に亘って設けられると共に、前記発光部以外の部分に設けられ、温度係数が正である抵抗部と、前記陽極用端子部及び前記抵抗部全体と電気的に接続され、前記抵抗部を介し前記陽極に電流を供給する給電部とを備え、前記発光部に印加される電圧と前記抵抗部に印加される電圧との和が前記発光部及び前記抵抗部の温度変化に拘わらず一定となるように構成されていることを要旨とする。
【０００８】
なお、「陽極の長手方向の全長に亘って設けられ」とは、陽極の長手方向における全長に対して１０割対応するように設けられていることに限らず、長手方向における目標の輝度分布に対して、輝度偏差が±５％以内になるような間隔で設けられていることを意味する。また、「発光部に印加される電圧と抵抗部に印加される電圧との和が発光部及び抵抗部の温度変化に拘わらず一定」とは、発光部に印加される電圧と抵抗部に印加される電圧との和の変動が±５％の範囲内であることを意味する。
【０００９】
この発明では、周囲温度の熱影響を受けて発光部及び抵抗部がともに温度変化して、発光部の順電圧が変化した場合でも、抵抗部に印加される電圧は発光部の順電圧の変化に応じて変化する。したがって、発光部及び抵抗部の温度変化に拘わらず発光部に印加される電圧と抵抗部に印加される電圧との和は一定であり発光部に流れる電流量は変化しないため、発光部の温度が変化しても発光部の輝度が変化することを抑制できる。
【００１０】
また、発光部が細長形状であると発光部及び抵抗部の部位毎に温度差が生じる場合があり、そのために発光部に印加される電圧及び抵抗部に印加される電圧が部位毎に異なっても、発光部に印加される電圧と抵抗部に印加される電圧との和はどの部位においても一定になる。そのため、発光部に流れる電流量が発光部の部位によって異なることを抑制でき、周囲温度の熱影響を受けても発光部の輝度分布が変化することを抑制できる。
【００１１】
また、発光部の部分毎に温度差が生じた場合、従来品は、温度が高い部分の電流値が高くなり、その部分の輝度が高くなることにより、輝度劣化が他の部分と比較して早くなる。しかし、本発明では、発光部の部分的温度変化に対して、発光部に流れる電流値は変化しないため、スキャナ光源の寿命を延ばすことができる。
【００１２】
請求項２に記載の発明は、請求項１に記載の発明において、前記抵抗部は金属で形成されていることを要旨とする。
この発明では、抵抗部を金属で形成しても、温度による抵抗部の抵抗値の変化に対応して発光部の抵抗値が変化するＥＬ材料を有機ＥＬ層に用いることで、発光部に印加される電圧と抵抗部に印加される電圧との和を一定にすることができる。
【発明の効果】
【００１３】
本発明によれば、周囲温度の熱影響を受けた場合でも発光部の輝度が変化することを抑制するとともに、寿命を延ばすことができる。
【発明を実施するための最良の形態】
【００１４】
以下、本発明を具体化した一実施形態を図１〜図４に従って説明する。なお、図１（ａ），（ｂ）は、有機ＥＬ素子の構成を模式的に示したものであり、図示の都合上、一部の寸法を誇張して分かり易くしているために、それぞれの部分の幅、長さ、厚さ等の寸法の比は実際の比と異なっている。
【００１５】
図１（ａ）に示すように、スキャナ用光源１１は、図示しない実装基板上に実装されるとともに帯状（細長形状）で、かつ平面視矩形状に形成された有機ＥＬ素子１２で構成されている。図１（ｂ）に示すように、有機ＥＬ素子１２は、基板１３上に陽極１４、有機ＥＬ層１５及び陰極１６が順に積層されるとともに、有機ＥＬ層１５からの光が基板１３側から取り出される（出射される）所謂ボトムエミッションタイプに構成され、基板１３と反対側の面が図示しない実装基板と対向する状態で図示しない実装基板に実装されている。
【００１６】
基板１３には可視光透過性を有するものが使用され、例えば、ガラス基板が使用されている。陽極１４は公知の透明な導電性材料（例えば、ＩＴＯ（インジウム錫酸化物））で形成されるとともに有機ＥＬ層１５より大きく形成されている。有機ＥＬ層１５は、公知の有機ＥＬ材料を用いて形成され、有機ＥＬ素子１２は単色発光を行うように構成されている。有機ＥＬ層１５は公知のＥＬ材料から構成されるとともに、温度が高くなるにつれ抵抗値が降下する特性を有し、一般的に負の温度係数となっている。陰極１６は、公知の陰極材料、例えば、アルミニウムで形成されるとともに、反射性を有している。なお、陰極１６と陽極１４との間に有機ＥＬ層１５が設けられた有機ＥＬ素子を発光部１７としている。発光部１７は、細長形状であるとともに、全長が少なくとも照射すべき領域（読み取り領域）以上の長さとなるように形成され、例えば、Ａ４サイズの原稿を照射する場合には、全長がＡ４サイズの縦の長さ以上となるように形成されている。
【００１７】
そして、図１（ａ）に示すように、陽極１４の一方の長辺より外側には、陽極１４の長辺に沿って延びる平面視長方形状の給電部１８が設けられている。給電部１８は一定の幅で陽極１４と同一部材で形成されるとともに、後述する抵抗部２２を介して陽極１４に電流を供給するように構成されている。なお、「給電部１８の幅」とは、有機ＥＬ素子１２の短手方向の長さを意味する。給電部１８には、その長手方向の両端に図示しない外部駆動回路と電気的に接続するための陽極用端子部１９が設けられている。陽極用端子部１９は陽極１４及び給電部１８と同一部材で形成され、かつ、給電部１８と一体的に形成されている。
【００１８】
また、陰極１６の長手方向の両端に位置する辺の外側には、それぞれ陰極用端子部２０が形成されている。陰極用端子部２０は、陽極１４及び陽極用端子部１９と同一材料で形成され、図１（ａ）及び（ｂ）に示すように、陰極１６の一部が外側に延出した陰極延出部１６ａと接続されている。
【００１９】
図１（ａ）に示すように、陽極用端子部１９及び陰極用端子部２０は、基板１３の長手方向の端部（図１（ａ）における左側端部又は右側端部）側において長手方向と直交する方向に並ぶように配置されている。
【００２０】
また、有機ＥＬ層１５より外側となる領域には、陽極用端子部１９の一部分上及び給電部１８上に連続して延び、なおかつ、給電部１８上では陽極１４の長辺に沿って延びる補助電極２１が設けられている。補助電極２１は、一定の幅で給電部１８より狭くなるように形成されるとともに、陽極１４より体積抵抗率が低く陰極１６と同じ材料で形成されている。
【００２１】
そして、給電部１８と陽極１４との間には、給電部１８を陽極１４に電気的に接続する複数の抵抗部２２が陽極１４の長手方向の全長に亘って設けられると共に、発光部１７以外の部分に設けられている。複数の抵抗部２２は陽極１４の長手方向に沿って並列された状態で全て陽極１４及び給電部１８と同一平面上に形成される。複数の抵抗部２２は全て陽極１４の長辺及び給電部１８の長辺に接続されている。各抵抗部２２の抵抗値は、発光部１７における長手方向の輝度分布が所定の輝度分布になるように、幅および部位毎に調整されている。また、隣り合う抵抗部２２間の距離は一定になっている。抵抗部２２は給電部１８及び陽極１４の材料とは異なる材料で、かつ温度係数が正である材料によって構成され、この実施形態では大東通信機社製のポリセーフティ（登録商標）によって構成されている。ここで、抵抗部２２を構成するポリセーフティとは、絶縁物である結晶性ポリマーと導電性を持つカーボンとを混練することで形成されている。抵抗部２２の温度係数は、正であり、その絶対値が発光部１７の温度係数の絶対値とほぼ等しい。ここで、「抵抗部２２の温度係数は、その絶対値が発光部１７の温度係数の絶対値とほぼ等しい」とは、抵抗部２２の温度係数の絶対値と発光部１７の温度係数の絶対値との誤差範囲が一割以内であることを意味する。
【００２２】
なお、有機ＥＬ層１５が水分（水蒸気）及び酸素の悪影響を受けないように、陽極１４、有機ＥＬ層１５、陰極１６、陰極延出部１６ａ、給電部１８、抵抗部２２及び補助電極２１は図示しない保護膜で被覆されている。図示しない保護膜は公知のパッシベーション膜、例えば、窒化ケイ素等のセラミック膜で構成されている。
【００２３】
次に、有機ＥＬ素子１２の電気的構成について説明する。
図２は、有機ＥＬ素子１２の電気的構成を表した等価回路図であり、陽極１４と陰極１６との間に有機ＥＬ層１５が設けられることで構成された発光部１７の抵抗をダイオードの回路図記号で示す。
【００２４】
有機ＥＬ素子１２において、陽極用端子部１９と陰極用端子部２０との間は抵抗部２２と発光部１７とによって電気的に接続され、抵抗部２２と発光部１７とは直列接続されている。
【００２５】
発光部１７の順電圧は発光部１７の抵抗値と発光部１７に流れる電流値との積によって決定され、発光部１７は温度が高くなるにつれて順電圧が降下する周囲温度‐順電圧特性を有する。発光部１７は、例えば、周囲温度が２０℃で８０［ｍＡ］の電流が流れる場合、発光部１７の順電圧は５．４［Ｖ］となり、周囲温度が６０℃で８０［ｍＡ］の電流が流れる場合、発光部１７の順電圧は４．９［Ｖ］となる。そして、流れる電流値が一定の時に温度が高くなるにつれて発光部１７の順電圧が降下するという発光部１７の周囲温度―順電圧特性を言い換えれば、温度が高くなるにつれ抵抗値が下がるという特性（負の温度係数）を発光部１７が有するということである。そして、発光部１７の周囲温度‐順電圧特性を温度係数に換算した場合、その温度係数は約−１２．５×１０Ｅ−３［１／℃］となる。
【００２６】
これに対して、抵抗部２２は温度が高くなるにつれ抵抗値が上がる特性（正の温度係数）を有し、温度係数が約＋１２．５×１０Ｅ−３［１／℃］の抵抗体が選定されている。  そして、陽極用端子部１９と陰極用端子部２０との間に電圧が印加されると、電流は給電部１８から抵抗部２２及び発光部１７を通って陰極用端子部２０に流入し、陰極用端子部２０から外部へ出力される。この時、抵抗部２２及び発光部１７に電流が流れると、抵抗部２２には電圧Ｖｒが印加され、発光部１７には電圧Ｖｄｉが印加される。
【００２７】
次に前記のように構成されたスキャナ用光源１１をスキャナの照明装置に搭載した場合の作用を説明する。
図３に示すように、スキャナ２３は、原稿等が載置されるガラス板２４と、ガラス板２４の下方に設けられた照明装置２５と、照明装置２５から照射されて、ガラス板２４上に載せられた原稿Ｐで反射した光を受光するセンサ装置２６とを備えている。センサ装置２６にはＣＣＤ等の光電変換素子を駆動制御するための図示しない制御回路が搭載されている。スキャナ用光源１１は照明装置２５に組み込まれて使用され、スキャナ２３が動作する時、発光部１７に電圧Ｖｒが印加されて発光することでスキャナ用光源１１は照射光を出射する。
【００２８】
ここで、スキャナ２３の周囲温度は常に一定でなく変化することがあり、このような場合、スキャナ用光源１１全体の温度も変化するためそれに伴って発光部１７及び抵抗部２２も温度変化する。発光部１７が温度変化すると発光部１７の抵抗値が変化することになるため、図４に示すように、発光部１７及び抵抗部２２の温度変化に伴って、発光部１７に印加される電圧Ｖｄｉ及び抵抗部２２に印加される電圧Ｖｒは変化する。したがって、スキャナ用光源１１の温度変化に拘わらず、発光部１７に印加される電圧Ｖｄｉと抵抗部２２に印加される電圧Ｖｒとの和Ｖｄｉ＋Ｖｒは一定である。そして、発光部１７に流れる電流量は変化しないためスキャナ用光源１１の温度が変化しても発光部１７の輝度が変化することは抑制される。なお、「発光部１７に印加される電圧Ｖｄｉと抵抗部に印加される電圧Ｖｒとの和Ｖｄｉ＋Ｖｒが発光部１７及び抵抗部２２の温度変化に拘わらず一定」とは、発光部１７に印加される電圧Ｖｄｉと抵抗部２２に印加される電圧Ｖｒとの和Ｖｄｉ＋Ｖｒの変動が±５％の範囲内であることを意味する。
【００２９】
また、周囲温度が高くなることでスキャナ用光源１１の温度が高くなった場合に、例えばアルミニウムのような金属からなる抵抗部に電流を流して陽極１４に電流を供給するスキャナ用光源に比べて温度変化に伴う部分的電流集中が生じにくい。したがって、周囲温度の熱影響を受けて発光部１７が早期に劣化するという事態が生じることを回避でき、スキャナ用光源１１の寿命を延ばすことができる。
【００３０】
また、スキャナ２３が長時間動作した場合に、スキャナ用光源１１の発光部１７の中心部分に配置された制御回路（図示しない。）が発熱することでその熱影響がスキャナ用光源１１に与えられ、発光部１７の中心部分の温度Ｔ１が最も高くなり、端子側に近づくにつれて温度Ｔ２〜Ｔ５が低くなるような温度分布になった。この時、図４に示すように、発光部１７の中心部分から端子側端部へ順に発光部１７の各部位に印加される電圧Ｖｄｉ１〜Ｖｄｉ５は、発光部１７の端子側端部から遠くなるにつれて小さくなり、その分、発光部１７の中心部分から端子側端部へ順に抵抗部２２の各部位に印加される電圧Ｖｒ１〜Ｖｒ５は端子側から遠くなるにつれて大きくなる。そして、抵抗部２２に印加される電圧Ｖｒと有機ＥＬ素子１２に印加される電圧Ｖｄｉとの和Ｖｄｉ＋Ｖｒは、給電部１８と陰極用端子部２０との間におけるどの部位においても一定となり、発光部１７の各部位に流れる電流値は同じになる。したがって、周囲温度の熱影響に起因してスキャナ用光源１１の部分毎に温度にばらつきが生じても、発光部１７の輝度分布が変化することは抑制される。
【００３１】
この実施形態によれば、以下の効果を得ることができる。
（１）有機ＥＬ層１５及び抵抗部２２は、発光部１７に印加される電圧Ｖｄｉと抵抗部２２に印加される電圧Ｖｒとの和Ｖｄｉ＋Ｖｒが発光部１７及び抵抗部２２の温度変化に拘わらず一定となるように構成されている。したがって、スキャナ用光源１１の温度が変化した場合でも発光部１７の輝度分布が変化することを抑制できる。
【００３２】
（２）スキャナ用光源１１の温度が部分的に高くなっても、発光部１７の対応する部分に流れる電流量は、従来のスキャナ用光源に比べて少ないため、発光部１７が早期に劣化するという事態が生じることを回避でき、スキャナ用光源１１の寿命を延ばすことができる。
【００３３】
（３）周囲温度の熱影響によってスキャナ用光源１１の部分毎に温度にばらつきが生じても、発光部１７の各部位における電圧と抵抗部２２の各部位における電圧との和は一定であるため、発光部１７の輝度分布が変化することを抑制できる。
【００３４】
（４）複数の抵抗部２２は陽極１４の長手方向の全長に亘って設けられ、複数の抵抗部２２全てと電気的に接続される給電部１８が設けられることで全ての抵抗部２２に対して電流が供給される。そして、例えば、一つの画素より面積の大きな細長形状の発光部１７を備えたスキャナ用光源１１であって、スキャナ用光源１１の部分毎に温度にばらつきが生じても、抵抗部２２の一箇所から電流が供給される場合に比べて各抵抗部２２に供給される電流量を同じすることができる。したがって、発光部１７が細長形状に形成されたスキャナ用光源であって、そのスキャナ用光源１１が周囲温度の熱影響を受けても発光部１７の輝度分布が変化することを抑制できる。
【００３５】
（５）抵抗部２２は、温度係数が、負であり、温度係数の絶対値が発光部１７の温度係数の絶対値とほぼ等しい材料から構成され、発光部１７の間に印加される電圧Ｖｄｉと抵抗部２２に印加される電圧Ｖｒとの和は一定になっている。したがって、有機ＥＬ層１５に用いる材料が公知のＥＬ材料であっても、発光部１７及び抵抗部２２の温度変化に拘わらず発光部１７の輝度分布の変化を抑制することができる。
【００３６】
実施形態は前記に限定されるものではなく、例えば次のように構成してもよい。
○  抵抗部２２は少なくとも陽極１４の長手方向において、長手方向の狙いの輝度分布に対して、輝度偏差が±５％以内になるような間隔で設けられていればよく、複数の抵抗部２２を設ける代わりに、例えば、陽極１４の長辺に沿って連続して延びるとともに陽極１４の長辺全体に接続される抵抗部を設けてもよい。
【００３７】
○  正の温度係数を有する材料であれば、抵抗部２２を構成する材料を変更してもよい。有機ＥＬ層１５が公知のＥＬ材料から構成される場合には、発光部１７の温度係数とは絶対値が同じで、負の温度係数からなる材料で抵抗部２２を構成すればよく、例えば、マレイン酸変性ポリエチレン、ポリプロピレン等にチタンカーバイドを分散させた高分子複合材料から抵抗部２２を構成してもよい。また、例えば、抵抗部２２をアルミニウム、金、銀、銅、クロム等の金属で形成してもよい。ただし、この場合、温度変化に伴う抵抗部２２の抵抗値の変化を無効にすることができるように、抵抗部２２を構成する材料の温度係数と絶対値が同じで、かつ負の温度係数であるＥＬ材料から有機ＥＬ層を構成する必要がある。
【００３８】
○  抵抗部２２は、異なった温度係数を持つ材料を直列接続してもよい。この場合、一
方の材料は、温度係数の絶対値が小さい材料で構成し、他方の材料は、負の温度係数を有する構成にしてもよい。
【００３９】
○  抵抗部２２を構成する部材については限定されない。例えば、抵抗部２２を膜から構成してもよいし、実装用のリードを備える部材から構成してもよい。
○  抵抗部として外付け抵抗を用いてもよい。この場合、例えば、基板１３上に、陽極１４、有機ＥＬ層１５、陰極１６が順に積層された発光部１７を作製するとともに陽極１４の長辺に接続される接続端子部を成膜する。なお、この時、陽極１４を成膜する際には発光部１７とは別に基板１３上に給電部１８を同時に成膜し、陰極１６を成膜する際には同時に補助電極２１を給電部１８上に成膜する。そして、その後、給電部１８と外付け抵抗の端子との間及び接続端子部と外付け抵抗の端子との間にＡＣＦ（異方性導電フィルム）を介在させて、給電部１８と陽極１４とを外付け抵抗を介して電気的に接続させる。なお、この時、外付け抵抗は陽極１４の長手方向の全長に亘るように複数設けられる。
【００４０】
○  図５に示すように、プリント回路基板２７上に発光部１７及び抵抗部としての外付け抵抗２８を実装してもよい。この場合、プリント回路基板２７上に発光部１７を実装し、その後、外付け抵抗２８の入力側端子を給電部としての第１配線パターン２９に接続し、外付け抵抗２８の出力側端子を発光部１７付近に位置する第２配線パターン３０に接続する。そして、このように接続される外付け抵抗２８を陽極１４の長手方向（図５における紙面と垂直な方向）の全長に亘るように複数設け、フレキシブルプリント基板（ＦＰＣ）３１を介して第２配線パターン３０を陽極１４の長辺に接続される接続端子部３２に接続することで、電流は第１配線パターン２９から外付け抵抗２８を流れ陽極１４に供給されるようになる。
【００４１】
○  有機ＥＬ素子１２は、長手方向の両端部に陽極用端子部１９及び陰極用端子部２０が形成された構成に限らない。例えば、陰極用端子部２０のいずれか一方を省略して、陽極用端子部１９のみ有機ＥＬ素子１２の両端部に形成してもよい。また、陽極用端子部１９及び陰極用端子部２０のそれぞれ一方を省略して、有機ＥＬ素子１２の片側のみに陽極用端子部１９及び陰極用端子部２０を設けてもよい。
【００４２】
○  スキャナ用光源１１が備える有機ＥＬ素子１２の数については特に限定されない。例えば、実装基板に複数の有機ＥＬ素子を実装することでスキャナ用光源を構成してもよい。そして、複数の有機ＥＬ素子からスキャナ用光源を構成する場合、複数の有機ＥＬ素子を直列接続してもよい。例えば、二つの有機ＥＬ素子を直列接続する場合には、一方の有機ＥＬ素子の陽極用端子を外部駆動回路と接続するとともに陰極用端子部を他方の有機ＥＬ素子の陽極用端子部に接続し、他方の有機ＥＬ素子の陰極用端子部を外部駆動回路に接続すれば、二つの有機ＥＬ素子を直列接続することができる。
【００４３】
○  有機ＥＬ素子１２は、ボトムエミッションタイプに限らず、有機ＥＬ層１５からの発光を基板１３と反対側から出射するトップエミッションタイプにしてもよい。この場合、有機ＥＬ素子１２は、陰極１６が透明電極で構成され、陽極１４は透明電極で構成されても不透明な電極で構成されてもよい。また、基板１３は透明基板に限らず、不透明な基板であってもよい。
【００４４】
○  有機ＥＬ素子１２を実装基板上に実装しなくともよく、スキャナ用光源１１を有機ＥＬ素子１２だけから構成して照明装置２５に搭載してもよい。
○  有機ＥＬ層１５は赤や青や緑の単色発光を行う構成に限らず、例えば、赤や青や緑や黄色等の単色光を組み合わせで白色発光する構成に変更してもよい。
【００４５】
○  有機ＥＬ素子１２を構成する陽極１４、有機ＥＬ層１５及び陰極１６の材料は前記のものに限らず、公知の有機ＥＬ素子で使用されている他の材料等を用いてもよい。
【図面の簡単な説明】
【００４６】
【図１】（ａ）は本実施形態の平面図、（ｂ）は（ａ）のＡ−Ａ線部分側断面図。
【図２】有機ＥＬ素子の電気的構成図。
【図３】スキャナの部分模式図。
【図４】発光部に印加される電圧及び抵抗部に印加される電圧と温度との関係を説明する説明図。
【図５】別の実施形態におけるスキャナ用光源の側断面図。
【符号の説明】
【００４７】
Ｖｄｉ…発光部に印加される電圧、Ｖｒ…抵抗部に印加される電圧、１１…スキャナ用光源、１２…有機ＥＬ素子、１４…陽極、１５…有機ＥＬ層、１６…陰極、１７…発光部、１８…給電部、１９…陽極用端子部、２０…陰極用端子部、２２…抵抗部、２８…抵抗部としての外付け抵抗、２９…給電部としての第１配線パターン。
【図１】
2008257951.tif 000003
【図２】
2008257951.tif 000004
【図３】
2008257951.tif 000005
【図４】
2008257951.tif 000006
【図５】
2008257951.tif 000007